(57)【要約】【課題】ディスクを挿入／排出する開口に対向して、導電性弾性接地部材を設けるだけの簡単かつ安価な構成によって、電磁波放出または妨害電波受信を低減する。【解決手段】装置本体の外面に形成したディスクを挿入／排出する開口１３と、固定部１６を中心として左右に延びる両部１５−１，１５−２を前記開口と交差させて配置させた導電性弾性接地部材１５と、ディスク１４から押圧されなくなる挿入／排出後に、初期位置に復元した前記導電性弾性接地部材１５が当接する接地部材１１−１，１１−２とを備えたものである。【選択図】図５
2011065703.tif 000002
【特許請求の範囲】
【請求項１】
装置本体の外面に形成したディスクを挿入／排出する開口と、固定部を中心として左右に延びる両部を前記開口と交差させて配置させた導電性弾性接地部材と、ディスクから押圧されなくなる挿入／排出後に、初期位置に復元した前記導電性弾性接地部材が当接する接地部材とを備えたディスク装置用ＥＭＣ対策機構。
【請求項２】
導電性弾性接地部材は、装置本体とこれに取り付けるパネルとの間に位置して、装置本体に設けられたディスクを挿入／排出する開口に対向して設けたことを特徴とする請求項１記載のディスク装置用ＥＭＣ対策機構。
【請求項３】
導電性弾性接地部材は、線ばねの導電性弾性部材であることを特徴とする請求項１または請求項２記載のディスク装置用ＥＭＣ対策機構。
【発明の詳細な説明】
【技術分野】
【０００１】
この発明は音響・映像等の再生を行うディスク装置に係り、ディスクを挿入／排出する開口からの電磁波放出または妨害電波受信を低減するディスク装置用ＥＭＣ（Ｅｌｅｃｔｒｏ  Ｍａｇｎｅｔｉｃ  Ｃｏｍｐａｔｉｂｉｌｉｔｙ）対策機構に関するものである。
【背景技術】
【０００２】
音響・映像等の再生を行うディスク装置は、装置本体の外面にディスクを挿入／排出する開口を有する。この開口の長さはディスクの直径より大きいもので、開口の長さに対応する波長の電波が装置内部から放出されたり、妨害電波として受信される。
【０００３】
そこで、このような妨害電波を受信するＥＭＣ障害を低減するために、従来はディスク挿入／排出後は、シャッター機構を用い、物理的に放射ノイズの出口であるディスクを挿入／排出する開口を閉じてＥＭＣ対策を行っている。例えばシャッター裏面に取り付けられているシャーシＧＮＤとの電気的接合を可能せしめる金属バネが、シャッターを閉じた場合はディスクを挿入／排出する開口が金属バネによって分割され、その結果、開口長が短くなるように工夫していた。
また、特許文献１には、信号検出手段およびレーザ出力検出手段と前置増幅器との間に帯域制限手段を挿入し、高周波雑音の漏洩による問題解決を行なっている。
【先行技術文献】
【特許文献】
【０００４】
【特許文献１】特開平７−２８７８５７号公報
【発明の概要】
【発明が解決しようとする課題】
【０００５】
従来は上記のように、ディスクを挿入／排出する開口を、ディスクの挿入／排出後は、シャッター機構で閉じてＥＭＣ対策を行なう構成である。このため、いちいちシャッターを閉めるという操作が必要であり、操作が面倒であった。そして、シャッター関連部品点数が多くなり、構成が複雑でコストが増大する。また、シャッター機構分の重量増で扱いにくいというデメリットがあった。
【０００６】
また、特許文献１に記載された帯域制限手段は配置位置が限定されたもので、この特許文献１の記載からはディスクを挿入／排出する開口からの電磁波放出または妨害電波受信を低減することについては何ら推測することができない。
【０００７】
この発明は上記のような課題を解消するためになされたもので、ディスクを挿入／排出する開口に対向して、導電性弾性接地部材を設けるだけの簡単かつ安価な構成によって、ディスクの挿入／排出を妨げることなく、電磁波放出または妨害電波受信を低減することのできるディスク装置用ＥＭＣ対策機構を提供することを目的とする。
【課題を解決するための手段】
【０００８】
この発明に係るディスク装置用ＥＭＣ対策機構は、装置本体の外面に形成したディスクを挿入／排出する開口と、固定部を中心として左右に延びる両部を前記開口と交差させて配置させた導電性弾性接地部材と、ディスクから押圧されなくなる挿入／排出後に初期位置に復元した前記導電性弾性接地部材が当接する接地部材とを備えたものである。
【発明の効果】
【０００９】
この発明のディスク装置用ＥＭＣ対策機構によれば、固定部を中心として左右に延びる導電性弾性接地部材の両部をディスクを挿入／排出する開口と交差させたものであるが、挿入／排出するディスクで押圧されて該ディスクの挿入／排出をガイドするので、ディスクの挿入／排出が円滑に行なわれる。そして、ディスクの挿入／排出後は該ディスクによる押圧が回避されて初期位置に復元した前記導電性弾性接地部材が接地部材に当接することにより、前記開口は長手方向に電気的に複数個に分断される。この結果、分断された長さの開口は電磁波放出または妨害電波受信の波長にあわなくなり、ＥＭＣ対策が行なわれる。このように、電波障害性能に大きな影響を及ぼす開口寸法を導電性弾性接地部材のみによる簡単安価な構成により、周波数帯域のエミッション規定を満たすことができる。
【図面の簡単な説明】
【００１０】
【図１】音響・映像等を行うディスク装置の外形斜視図である。
【図２】ディスク装置にディスクが挿入／排出される状態を示す外形斜視図である。
【図３】ディスク装置のディスク挿入部を示す縦断平面図である。
【図４】前面パネルを取り外した状態のディスク装置の正面図である。
【図５】ディスクの挿入／排出後における前面パネルを取り外した状態のディスク装置の正面図である。
【図６】ディスクの挿入／排出中における前面パネルを取り外した状態のディスク装置の正面図である。
【図７】ディスクの挿入／排出中の状態を示すディスク装置の横断側面図である。
【図８】ディスクの挿入／排出中の状態を示す従来のディスク装置の横断側面図である。
【図９】ディスクの挿入／排出中の他の状態を示す従来のディスク装置の横断側面図である。
【発明を実施するための形態】
【００１１】
以下、この発明の実施の形態を添付の図面を参照しながら具体的に説明する。
実施の形態１．
この実施の形態１に係る音響・映像等の再生を行うディスク装置１は、図１に示すように、装置本体１１の前面にパネル１２を有し、このパネル１２にはディスクを挿入／排出する開口１３が設けられている。そして、図２に示すように、開口１３から装置本体１１にディスク１４を挿入し、または装置本体１３からディスク１４を外部に排出させる。
【００１２】
装置本体１１とパネル１２との間には、図３に示すように、導電性弾性接地部材１５が配置され、その中心部の筒部１６が装置本体前面に取り付けられている。この導電性弾性接地部材１５は図４に示すように、１本の導電性弾性部材の線ばねをその中心部で数回折り曲げて筒部１６を形成し、その左右に延びる腕部１５−１，１５−２を開口１３と交差させて配置させている。この場合、一方の腕部１５−１は装置本体１１の前面に接しているが、他方の腕部１５−２は筒部１６の長さ分だけ装置本体１１の前面から離れている。そこで、この腕部１５−１，１５−２が確実に装置本体１１を介して接地するように、装置本体１１の前面の一部に接地部材としての凸部１１−１，１１−２（図５、図６参照）が形成されている。
【００１３】
次にパネル１２を外した状態のディスク装置の正面図を示す図５、図６について、装置本体１１に対するディスク１４の挿入／排出動作を説明する。図５はディスクの挿入／排出動作時以外、つまり、開口１３にディスク１４がない状態を示すもので、導電性弾性接地部材１５の左右の腕部１５−１，１５−２は弾性力で図示の状態に復元して、装置本体１１の前面の一部の凸部１１−１，１１−２に接し接地される。このため、開口１３の長さは電気的にＬ１，Ｌ２，Ｌ３に分離されたことになり、長さＬのときに生じていた電磁波放出または妨害電波受信の電波障害を回避することができる。
【００１４】
この状態において、装置本体１１に対しディスク１４の挿入／排出を行うために開口１３にディスク１４を通すと、導電性弾性接地部材１５の左右の腕部１５−１，１５−２は弾性力に抗してディスク１４で押圧され、図５に示すように筒部１６を中心に鎖線位置まで角度θ回動して開口１３を開放し、ディスク１４の円滑な挿入／排出を許容する。なお、腕部１５−１，１５−２の先端部は向かい合わせに折り曲げて、ディスク１４を挟持する折り曲げ部１５−１ａ，１５−２ａを形成しておくことにより、挿入／排出時にディスク１４の左右ずれを防止することができ、より円滑にディスクの挿入／排出を行うことができる。
【００１５】
開口１３の表面側は図７に示すように、ディスク１４を挿入しやすいように該ディスクの厚みより大きく作られており、裏面側は装置本体１１の前面開口１１ａと合致するように斜面１３ａに形成されている。この斜面の先端には布等の塵埃侵入防止部材１７が取り付けられている。この塵埃侵入防止部材１７の中央部にはディスク１４が通過できるように、開口１３より長い切断線（図示せず）が入れられている。そして、この塵埃侵入防止部材１７の周辺を斜面１３ａと挟み込むガイド部材１８が設けられ、このガイド部材１８は斜面１３の延長線と連続するように装置本体１１の前面開口１１ａに向かって先細りに形成されている。このガイド部材１８と装置本体１１の前面開口１１ａとの間に導電性弾性接地部材１５が設けられている。
【００１６】
上記の構成により、ディスク１４の挿入／排出角度の動き代を小さくでき、パネル１２やガイド部材１８の意匠部品の組立公差を大きくとることができる。また、装置本体１１の前面開口１１ａを小さな幅ｔにできるので、パネルデザインの開口部の余裕度が増える。
【００１７】
これに対し、この発明における導電性弾性接地部材１５を有しない図８、図９に示す従来の構成では、実際にはディスク１４はまっすぐに挿入／排出されることは少なく、ある角度δを持って挿入／排出動作が行われる。よってディスク１４の挿入・排出角度を規制するために、ガイド部材１８などのガイド規制機能をもった部品が必要であり、ディスクの挿入／排出時のディスク１４の動きうる角度は、装置本体内のディスク搬送ローラー１９とガイド部材１８によって決まる。このため、装置本体１１の前面開口１１ａは大きな幅Ｔとしなければならない。また、通常、ガイド部材１８はパネル１２に固定されることが多く、取り付け公差を考慮すると、パネル１２などに非常に厳しい寸法公差が要求される。
【００１８】
以上のように、この実施の形態１によれば、固定部を中心として左右に延びる導電性弾性接地部材１５の両部をディスクを挿入／排出する開口１３と交差させて配置したもので、ディスクの挿入／排出時は、挿入／排出するディスクで押圧されて該ディスクの挿入／排出をガイドするので、ディスクの挿入／排出が円滑に行なわれる。
【００１９】
そして、ディスクの挿入／排出後、導電性弾性接地部材１５がディスクにより押圧されなくなり、初期位置に復元して凸部に当接することにより、前記開口１３を長手方向に電気的に複数個に分断する。この結果、分断された長さの開口１３は電磁波放出または妨害電波受信の波長にあわなくなり、ＥＭＣ対策が行なわれる。このように、電波障害性能に大きな影響を及ぼす開口寸法を導電性弾性接地部材１５のみによる簡単安価な構成により、周波数帯域のエミッション規定を満たすことができる。
【００２０】
例えば、装置本体にディスクを挿入／排出を行う開口１３があると、この開口１３でシールド電流が切れてしまい、シールド効果が低減する。また、高い周波数（７００ＭＨｚ以上）のノイズの放射源となる。一般にλ／４以上の長さがあればアンテナになりやすいとされている。ここで、一例を示すと、
スリットが１０ｃｍのとき、λ／４＝１０ｃｍとすると、λ＝４０ｃｍ、周波数ｆは１０００ＭＨｚで３０ｃｍであるので、１０００ＭＨｚ×３０ｃｍ／４０ｃｍ＝７５０ＭＨｚとなる。
【００２１】
一方、導電性弾性接地部材１５はパネル１２の裏面に設けたガイド部材と装置本体１１の前面開口１１ａとの間に設けたので、この導電性弾性接地部材１５がディスクの姿勢を規制するガイド的役割を有し、ディスクを装置本体１１の前面開口１１ａに導くので、ディスク１４の挿入／排出角度の動き代を小さくでき、パネル１２やガイド部材１８の意匠部品の組立公差を大きくとることができる。また、装置本体１１の前面開口１１ａとパネル開口１３との公差を緩和させることができるので、パネルデザインの開口部の余裕度が増える。また、導電性弾性接地部材１５として、導電性弾性部材である線ばねを用いることで、軽量化を実現することができる。
なお、上記の説明では導電性弾性接地部材１５を装置本体１１に取り付けているが、パネル１２側に取り付けることもできる。
【符号の説明】
【００２２】
１１  装置本体、１１−１，１１−２  凸部（接地部材）、１１ａ  前面開口、１２  パネル、１３  開口、１３ａ  斜面、１４  ディスク、１５  導電性弾性接地部材、１５−１，１５−２  腕部、１６  筒部、１７  塵埃侵入防止部材、１８  ガイド部材、１９  ディスク搬送ローラー。
【図１】
2011065703.tif 000003
【図２】
2011065703.tif 000004
【図３】
2011065703.tif 000005
【図４】
2011065703.tif 000006
【図５】
2011065703.tif 000007
【図６】
2011065703.tif 000008
【図７】
2011065703.tif 000009
【図８】
2011065703.tif 000010
【図９】
2011065703.tif 000011